(57)【要約】【課題】無線通信を効率よく行うこと、及び音声信号に悪影響を与えないようにする。【解決手段】複数の音声入力を有する機器に、情報を無線伝送する無線伝送部と、無線伝送部の送信開始や、送信電力の減衰量を制御する送信制御部と、複数の音声入力を選択する音声選択部と、音声選択部で選択された音声入力部からの音声レベルを検出する音声レベル検出部と、音声選択部で選択された音声入力によって無線送信電力を減衰させる閾値を決定して閾値設定を行う閾値抽出部と、前記音声レベル検出部の値と閾値抽出部の値により送信制御部を制御する制御手段とを設け、無線通信時に発生するノイズの悪影響を可能な限り排除した無線通信制御を行うことができるようにする。【選択図】図１
2011130375.tif 000002
【特許請求の範囲】
【請求項１】
外部から音声信号を入力するための音声入力手段と、
前記音声入力手段により外部から入力される音声信号を処理して音声データを生成する音声信号処理手段と、
前記音声信号処理手段により生成された音声データを無線により外部機器に送信する無線送信装置と、
前記音声入力手段により外部から入力される音声信号のレベルを検出する音声レベル検出手段と、
前記音声レベル検出手段により検出された音声レベルに応じた閾値を設定する閾値設定手段と、
前記閾値設定手段によって設定された閾値と前記音声信号の入力音声レベルとに基いて前記無線送信装置の送信機能を制御する無線送信制御手段とを有し、
前記無線送信制御手段は、前記閾値設定手段により設定された閾値と、前記音声レベル検出手段により検出された音声レベルとを比較し、前記検出された音声レベルの方が小さい場合は前記送信装置の送信機能を停止し、前記検出された音声レベルの方が大きい場合は前記送信装置による無線通信を許容することを特徴とする無線通信制御装置。
【請求項２】
前記音声入力手段から入力される複数の音声信号を選択する音声選択手段を有し、
前記閾値設定手段は、前記音声選択手段で選択された音声信号の音声レベルに応じた閾値を設定することを特徴とする請求項１に記載の無線通信制御装置。
【請求項３】
前記音声入力手段から入力される音声信号を増幅する増幅手段を有し、
前記閾値設定手段は、前記増幅手段の増幅レベルに応じて前記閾値を決定することを特徴とする請求項１または２に記載の無線通信制御装置。
【請求項４】
前記音声入力手段は、デジタル音声信号を入力する機能を有し、
前記閾値設定手段は、前記音声入力手段からデジタル音声信号のみが入力されている場合以外において前記閾値を設定することを特徴とする請求項１〜３の何れか１項に記載の無線通信制御装置。
【請求項５】
前記無線送信装置とは異なる方式で前記音声データを前記外部機器に無線送信する第２の無線送信装置と、前記第２の無線送信装置の送信機能を制御する第２の無線送信制御手段とを有し、
前記閾値設定手段は、外部機器に送信する音声データが前記無線送信装置および前記第２の無線送信装置の双方に存在する場合には第１の閾値を設定し、前記無線送信装置にのみ存在する場合には第２の閾値を設定し、前記第２の無線送信装置にのみ存在する場合には第３の閾値を設定することを特徴とする請求項１〜４の何れか１項に記載の無線通信制御装置。
【請求項６】
前記無線送信制御手段は、前記入力音声レベルの方が小さい場合は前記送信装置の無線送信電力を減衰させることを特徴とする請求項１に記載の無線通信制御装置。
【請求項７】
被写体を撮影して画像データを生成する撮像手段と、
外部から音声信号を入力するための音声入力手段と、
前記撮像手段において生成された画像データを外部機器に送信する無線送信装置と、
前記音声入力手段により外部から入力される音声信号を処理して音声データを生成する音声信号処理手段と、
前記音声入力手段により外部から入力される音声信号のレベルを検出する音声レベル検出手段と、
前記音声レベル検出手段により検出された音声レベルに応じた閾値を設定する閾値設定手段と、
前記無線送信装置の送信機能を制御する無線送信制御手段とを有する撮像装置であって、
前記無線送信制御手段は、前記閾値設定手段により設定された閾値と、前記音声レベル検出手段により検出された音声レベルとを比較し、前記検出された音声レベルの方が小さい場合は前記送信装置の送信機能を停止し、前記検出された音声レベルの方が大きい場合は前記送信装置による無線通信を許容するとともに、前記撮像手段により被写体を撮像して動画像データを記録中は前記送信装置の送信機能を停止することを特徴とする撮像装置。
【請求項８】
被写体を撮影して画像データを生成する撮像手段と、
前記撮像手段により生成される画像データを外部機器に送信する送信装置の送信機能を制御する送信制御手段と、
前記撮像手段が被写体を撮影中に外部から入力される音声信号のレベルを検出する音声レベル検出手段とを有する撮像装置であって、
前記送信制御手段は、前記音声レベル検出手段により検出された音声信号のレベル値と、予め設定されている基準ゲイン値とを比較し、前記音声信号のレベル値の方が小さい場合、および前記撮像手段が動画像データを生成している場合は、前記送信装置の送信機能を停止することを特徴とする撮像装置。
【請求項９】
外部から音声信号を入力するための音声入力工程と、
前記音声入力工程において外部から入力される音声信号を処理して音声データを生成する音声信号処理工程と、
前記音声信号処理工程において生成された音声データを無線送信装置により外部機器に送信する無線送信工程と、
前記音声入力工程において外部から入力される音声信号のレベルを検出する音声レベル検出工程と、
前記音声レベル検出工程において検出された音声レベルに応じた閾値を設定する閾値設定工程と、
前記閾値設定工程において設定された閾値と前記音声信号の入力音声レベルとに基いて前記無線送信装置の送信機能を制御する無線送信制御工程とを有し、
前記無線送信制御工程は、前記閾値設定工程において設定された閾値と、前記音声レベル検出工程において検出された音声レベルとを比較し、前記検出された音声レベルの方が小さい場合は前記送信装置の送信機能を停止し、前記検出された音声レベルの方が大きい場合は前記送信装置による無線通信を許容することを特徴とする無線通信制御方法。
【請求項１０】
被写体を撮影して画像データを生成する撮像工程と、
外部から音声信号を入力するための音声入力工程と、
前記撮像工程において生成された音声データを無線送信装置により外部機器に送信する無線送信工程と、
前記音声入力工程において外部から入力される音声信号を処理して音声データを生成する音声信号処理工程と、
前記音声入力工程において外部から入力される音声信号のレベルを検出する音声レベル検出工程と、
前記音声レベル検出工程において検出された音声レベルに応じた閾値を設定する閾値設定工程と、
前記無線送信装置の送信機能を制御する無線送信制御工程とを有する撮像装置の制御方法であって、
前記無線送信制御工程は、前記閾値設定工程において設定された閾値と、前記音声レベル検出工程において検出された音声レベルとを比較し、前記検出された音声レベルの方が小さい場合は前記送信装置の送信機能を停止し、前記検出された音声レベルの方が大きい場合は前記送信装置による無線通信を許容するとともに、前記撮像工程において被写体を撮像して画像データを記録中は前記送信装置の送信機能を停止することを特徴とする撮像装置の制御方法。
【請求項１１】
外部から音声信号を入力するための音声入力工程と、
前記音声入力工程において外部から入力される音声信号を処理して音声データを生成する音声信号処理工程と、
前記音声信号処理工程において生成された音声データを無線送信装置により外部機器に送信する無線送信工程と、
前記音声入力工程において外部から入力される音声信号のレベルを検出する音声レベル検出工程と、
前記音声レベル検出工程において検出された音声レベルに応じた閾値を設定する閾値設定工程と、
前記閾値設定工程において設定された閾値と前記音声信号の入力音声レベルとに基いて前記無線送信装置の送信機能を制御する無線送信制御工程とをコンピュータに実行させるコンピュータプログラムであって、
前記無線送信制御工程は、前記閾値設定工程において設定された閾値と、前記音声レベル検出工程において検出された音声レベルとを比較し、前記検出された音声レベルの方が小さい場合は前記送信装置の送信機能を停止し、前記検出された音声レベルの方が大きい場合は前記送信装置による無線通信を許容するようにコンピュータを制御することを特徴とするコンピュータプログラム。
【請求項１２】
被写体を撮影して画像データを生成する撮像工程と、
外部から音声信号を入力するための音声入力工程と、
前記撮像工程において生成された音声データを無線送信装置により外部機器に送信する無線送信工程と、
前記音声入力工程において外部から入力される音声信号を処理して音声データを生成する音声信号処理工程と、
前記音声入力工程において外部から入力される音声信号のレベルを検出する音声レベル検出工程と、
前記音声レベル検出工程において検出された音声レベルに応じた閾値を設定する閾値設定工程と、
前記無線送信装置の送信機能を制御する無線送信制御工程とをコンピュータプログラムに実行させるコンピュータプログラムであって、
前記無線送信制御工程は、前記閾値設定工程において設定された閾値と、前記音声レベル検出工程において検出された音声レベルとを比較し、前記検出された音声レベルの方が小さい場合は前記送信装置の送信機能を停止し、前記検出された音声レベルの方が大きい場合は前記送信装置による無線通信を許容するとともに、前記撮像工程において被写体を撮像して画像データを記録中は前記送信装置の送信機能を停止するようにコンピュータを制御することを特徴とするコンピュータプログラム。
【請求項１３】
請求項１１または１２に記載のコンピュータプログラムを記憶したことを特徴とするコンピュータ読み取り可能な記憶媒体。
【発明の詳細な説明】
【技術分野】
【０００１】
本発明は、無線通信制御装置及び撮像装置に関し、特に、内部で生成した情報データを無線通信により外部機器に送信するために用いて好適な技術に関するものである。
【背景技術】
【０００２】
従来、音声信号を入力する機器として、ビデオカメラやデジタルカメラ、携帯電話等が知られている。これらの機器において無線送信を用いてデータの送受信を行える機器が存在し、これらの機器の中で録音期間中は無線送信を止めるものがある（参考文献１）。また、無線送信にて送る音声データのレベルに応じて送信制御を行うものがある（参考文献２）。
【先行技術文献】
【特許文献】
【０００３】
【特許文献１】特開２００５−１２３９７３号公報
【特許文献２】特開２００４−２０５５７８号公報
【発明の概要】
【発明が解決しようとする課題】
【０００４】
しかしながら、上記従来例では音声記録中に常時無線送信を止めているため、その間は記録している音声を無線で送信することができない問題点があった。入力される音声信号の質によっては、再生時にノイズが発生しない場合もあり、このような場合にも送信を停止してしまうのは非効率であった。
本発明は前述の問題点に鑑み、無線通信を効率よく行うこと、及び音声信号に悪影響を与えないようにすることを目的とする。
【課題を解決するための手段】
【０００５】
本発明の無線通信制御装置は、外部から音声信号を入力するための音声入力手段と、前記音声入力手段により外部から入力される音声信号を処理して音声データを生成する音声信号処理手段と、前記音声信号処理手段により生成された音声データを無線により外部機器に送信する無線送信装置と、前記音声入力手段により外部から入力される音声信号のレベルを検出する音声レベル検出手段と、前記音声レベル検出手段により検出された音声レベルに応じた閾値を設定する閾値設定手段と、前記閾値設定手段によって設定された閾値と前記音声信号の入力音声レベルとに基いて前記無線送信装置の送信機能を制御する送信制御手段とを有し、前記送信制御手段は、前記閾値設定手段により設定された閾値と、前記音声レベル検出手段により検出された音声レベルとを比較し、前記検出された音声レベルの方が小さい場合は前記送信装置の送信機能を停止し、前記検出された音声レベルの方が大きい場合は前記送信装置による無線通信を許容することを特徴とする。
【発明の効果】
【０００６】
本発明によれば、無線通信を効率よく行うことが可能となるとともに、音声信号に悪影響を与えないようにすることが可能となる。
【図面の簡単な説明】
【０００７】
【図１】無線通信制御装置を撮像装置に適用した例を示すブロック図である。
【図２】無線通信制御装置を撮像装置に適用した第２の例を示すブロック図である。
【図３】閾値抽出部の要部構成を説明するブロック図である。
【図４】閾値抽出部の要部構成の第２の例を説明するブロック図である。
【図５】無線通信制御方法の制御手順を説明するフローチャートである。
【図６】閾値検出部の制御手順を説明するフローチャートである。
【図７】無線通信制御方法の第２の制御手順を説明するフローチャートである。
【図８】無線通信制御方法の第３の制御手順を説明するフローチャートである。
【発明を実施するための形態】
【０００８】
＜第１の実施形態＞
以下、図１、図３、図５、図６を参照しながら本発明の第１の実施形態を説明する。
図１は、本実施形態の無線通信制御装置を適用した撮像装置の構成例を示すブロック図である。
図１において、１０１は被写体の光学像を取り込む撮影レンズや、光量を制御する絞り、光学像を電気信号に変換する撮像素子等からなる撮像部である。１０２は撮像部１０１から得た画像信号を適正な信号レベルにし、デジタルデータに変換し、１フレーム分ずつ記録する等の映像記録方式に必要な処理を行う映像処理部である。
【０００９】
１０３は音声入力部であり、音声入力用のマイクロフォン（ＭＩＣ）を複数有し、外部から入力された音声信号を入力選択部１０４に伝送する。入力選択部１０４は、音声入力部１０３から得た複数の音声信号を、装置制御部１１３の指示により１つ選択し、選択した１つの音声信号を音声信号処理部１０５に伝送する入力選択部である。音声信号処理部１０５は取り込んだ音声信号を適正なレベルまで増幅する増幅器を有し、音声信号を処理して音声データを生成する。１０６は外部からの指示を入力するための操作部である。１０７は各ブロック間の画像データおよび音声データが行き来する画像／音声データバスである。１０８は装置制御部１１３からの制御信号や、操作部１０６からの指示信号等が行き来する制御信号バスである。
【００１０】
１０９は画像／音声データバス１０７のデータを取得し、装置制御部１１３からの指示により無線送信部１１０の送信機能を制御する無線送信制御部である。無線送信部１１０は、無線送信制御部１０９からの指示により、データに変調をかけ搬送波に乗せて外部機器（図示せず）に無線送信する。１１１は装置制御部１１３の指示により無線送信を行うデータを、記録部１１２から取得する記録制御部である。
【００１１】
記録部１１２は、映像処理部１０２から得られた映像データ、音声信号処理部１０５から得られた音声データ、及びその他のデータを必要に応じて関連づけて記録し、また、その記録されたデータを記録制御部１１１の指示により読み出す機能を有する。装置制御部１１３は各種機能に応じて、各ブロックを制御する。
なお、撮像装置の構成は本実施形態に示すものには限定されない。例えば、図１に各種の制御部を示したが、必ずしも図１のような構成でなくともよい。撮像装置の制御に関しては、１つのハードウェアがいろいろな制御を行う手段として機能してもよいし、複数のハードウェアが処理を分担しながら撮像装置の各部を制御するよう機能してもよい。
【００１２】
次に、図３のブロック図を参照しながら、撮像装置の音声に関する構成について詳細に説明する。
図３において、２０１〜２１４は、図１の音声入力部１０３〜音声信号処理部１０５を詳細に説明したものである。２０１は音声の入力を行う第１のＭＩＣ、２０２は音声の入力を行う第２のＭＩＣである。なお、本実施形態における第１のＭＩＣ２０１は撮像装置に内蔵されたマイクであり、第２のＭＩＣ２０２は撮像装置に着脱可能な外付けマイクとする。２０３は第１のＭＩＣ２０１の信号を第１の増幅器２０５に渡すか、第２の増幅器２０６に渡すかを切り替える第１のＳＷである。２０４は第２のＭＩＣ２０２の信号を第３の増幅器２０７に渡すか第４の増幅器２０８に渡すかを切り替える第２のＳＷである。第１の増幅器２０５は第１のＭＩＣ２０１の信号を増幅する。
【００１３】
２０６は、第１のＭＩＣ２０１の信号を第１の増幅器２０５とは異なるレベルで増幅する第２の増幅器である。第３の増幅器２０７は、第２のＭＩＣ２０２の信号を増幅する。第４の増幅器２０８は、第２のＭＩＣ２０２の信号を、第３の増幅器２０７とは異なるレベルで増幅する。２０９は第３のＳＷであり、第１の増幅器２０５、第２の増幅器２０６、第３の増幅器２０７、及び第４の増幅器２０８のそれぞれから入力される複数の音声信号を選択する音声選択機能を有し、選択した音声信号を切り替えて出力する。
【００１４】
２１０は、第３のＳＷ２０９から出力される音声信号をデジタル変換するＡ/Ｄである。２１１は、Ａ/Ｄ２１０から出力される信号レベルを変更するＶＯＬである。２１３は、ＶＯＬ２１１から出力される信号レベルを検出する音声レベル検出部である。２１４は、第１のＳＷ２０３、第２のＳＷ２０４、第３のＳＷ２０９の選択情報と、ＶＯＬ２１１のＶＯＬ値、音声レベル検出部２１３のデータを元に、無線送信制御部１０９の送信制御をＯＦＦする閾値を検出する閾値抽出部である。
【００１５】
図５は、実施形態における装置制御部１１３が実行する制御フローチャート、図６は、実施形態の閾値検出部の制御フローチャートである。
以下、図５の制御フローチャートを中心に説明を行う。
先ず、Ｓ５０１において、無線送信制御部１０９を制御するための情報取得を開始する。次に、Ｓ５０２において、画像／音声データバス１０７上に送信データが存在するか確認する。次に、Ｓ５０３において、Ｓ５０２の確認結果を判断し、送信データがない場合はＳ５０４に進んで無線送信電力の減衰を無線送信制御部１０９へ要求し、無線送信部１１０における無線送信電力を減衰させる。
【００１６】
一方、Ｓ５０３の判断の結果、送信データがある場合、Ｓ５０５に進み、装置制御部１１３により撮影モードの選択状況を確認する。
【００１７】
次に、Ｓ５０６において、撮影モードの選択状況に基いて動画モードか否かを判断する。この判断の結果、撮影モードが動画モードでなければ、音声信号処理部１０５により音声入力部１０３の信号を取得しない状態であるため、Ｓ５１０に遷移し、無線送信制御部１０９へ無線送信開始要求を行う。一方、Ｓ５０６の判断の結果、撮影モードが動画モードである場合、Ｓ５０７に進んで入力信号の閾値検出処理を開始する。以下、閾値検出処理を開始した場合の制御手順を、図６の制御フローチャートを参照しながら説明する。
【００１８】
閾値抽出処理が開始されると、先ず、Ｓ６０１において入力の選択状態を確認する。次に、Ｓ６０２において、デジタル信号の入力が選択されているか否かを判断する。この判断の結果、デジタル信号の入力を選択している場合、無線信号が音声信号に悪影響を与えないためＳ６０３に進み、閾値を∞にする。
【００１９】
一方、Ｓ６０２の判断の結果、デジタル信号が入力されていない場合、Ｓ６０４において、第１のＭＩＣ２０１が選択されているか否か確認する。この確認の結果、第１のＭＩＣ２０１が選択されている場合、Ｓ６０５において、第３のＳＷ２０９の設定を検出する。この設定検出は、増幅量を判断して行う。
【００２０】
次に、Ｓ６０６において、第３のＳＷ２０９の選択が第１の増幅器２０５か否かを判断する。この判断の結果、第１の増幅器２０５である場合には、Ｓ６０７へ遷移して閾値１を決定して閾値設定を行う。また、第３のＳＷ２０９の選択が第１の増幅器２０５でなかった場合にはＳ６０８へ遷移して閾値２を決定して閾値設定を行う。
【００２１】
一方、Ｓ６０４の確認の結果、第１のＭＩＣが選択されていない場合には第２のＭＩＣ２０２が選択されていることになるが、この場合、増幅器は第３の増幅器２０７または第４の増幅器２０８であるので、Ｓ６０９において第３のＳＷ２０９の設定を検出する。この設定検出は、増幅量を判断して行う。次に、Ｓ６１０において、第３のＳＷ２０９の設定が第３の増幅器２０７か否かを判断する。この判断の結果、第３の増幅器２０７であった場合にはＳ６１１に進み、閾値３を決定して閾値設定を行う。
【００２２】
一方、Ｓ６１０の判断の結果、第３の増幅器２０７でなかった場合は、第３のＳＷ２０９の選択が第４の増幅器２０８であるので、Ｓ６１２に進み、閾値４を決定して閾値設定を行う。前述したようにして、閾値１〜閾値４の何れかを決定したら、次に、Ｓ６１３に進む。このように、本実施形態においては、複数の増幅器を設け、各増幅器の増幅レベルに応じて閾値を決定する。なお、本実施形態においては閾値１〜閾値４はすべて異なる値とする。
【００２３】
Ｓ６１３においては、ＶＯＬ２１１のＶＯＬ値を取得し、決定している閾値に対して乗算処理を行う。その後、Ｓ６１４において閾値検出処理を終了する。この処理は、図５のＳ５０８の処理である。
【００２４】
Ｓ５０８において、閾値検出処理が終了すると、次に、Ｓ５０９において、音声レベル検出部２１３の検出レベルと取得した閾値の比較を行う。この比較の結果、音声レベルの方が大きい場合、Ｓ５１０に進んで無線送信を開始する。また、音声レベルの方が小さい場合、静かな音場であり無線通信時にノイズが発生すると判断し、Ｓ５０４に進んで無線送信電力を減衰させる。
【００２５】
本実施形態においては、前述したように、送信データの有無を判断し、送信データが有る場合には撮影モードを判断して、動画モードであった場合には、入力信号の閾値を設定する。そして、設定した閾値と撮影中に外部から入力される音声信号のレベルとを比較し、比較結果に基いて無線送信部の動作を制御し、入力音声信号のレベルの方が大きい場合には無線送信を開始する。その反対に入力音声信号のレベルの方が小さい場合には無線送信電力を減衰させる。
【００２６】
具体的には、設定された閾値と、検出された音声レベルとを比較し、入力音声レベルの方が小さい場合は無線送信部１１０の送信機能を停止し、入力音声レベルの方が大きい場合は無線送信部１１０による無線通信を許容するようにした。これにより、無線通信制御装置の動作環境に応じた無線通信を実現することができ、記録中の音声データ、或いは画像データにノイズが混入する不都合を回避することができる。
また、本実施形態においては、第１のＭＩＣ２０１と第２のＭＩＣ２０２、つまり内蔵マイクと外付けマイクとで採用する閾値を変更することとした。これは、一般的に外付けマイクの方がノイズの影響を受けやすいため、外付けマイクの場合は内蔵マイクに比べて閾値を大きくし、増幅量が少ない場合のみ無線通信を可能としたものである。
【００２７】
また、本実施形態においては、音声入力部１０３はデジタル音声信号を入力する機能を有しており、Ｓ５０７における閾値設定処理は、音声入力部１０３からデジタル音声信号のみが入力されている場合以外において行われる。
【００２８】
＜第２の実施形態＞
次に、図２、図４、図７を用いて、本発明の無線通信制御装置の第２の実施形態を説明する。なお、本実施形態は第１の実施形態と共通する部分が多いため、共通の部分は説明を省略し、本実施形態に特有の部分を中心に説明する。
図２は、第２の実施形態の無線通信制御装置の構成例を示すブロック図である。図２において、３０２は画像／音声データバス１０７のデータを取得し、装置制御部１１３からの指示により第２の無線送信部３０３の送信を制御する第２の無線送信制御部である。第２の無線送信部３０３は、第２の無線送信制御部３０２からの指示により、第２の無線送信制御部３０２のデータに無線送信部１１０とは異なる無線方式で変調をかけ搬送波に乗せ無線送信を行う。
【００２９】
図４は、第２の実施形態の動作について説明するための図である。第２の閾値抽出部３０１は第１のＳＷ２０３、第２のＳＷ２０４、第３のＳＷ２０９の選択情報と、音声レベル検出部２１３のデータを元に、第２の無線送信制御部３０２の送信制御をＯＦＦする閾値を検出する。
【００３０】
以下、図７の制御フローチャートを参照しながら本実施形態の無線通信制御装置の制御手順を説明する。
まず、Ｓ７０１において、無線送信制御部１０９を制御するための情報取得を開始する。
次に、Ｓ７０２において、送信データが画像／音声データバス１０７上に存在するか否かを確認する。次に、Ｓ７０３において、Ｓ７０２の確認結果を判断する。この判断の結果、送信データがない場合はＳ７０４において無線送信制御部１０９へ無線送信電力の減衰を要求し、無線送信部１１０において無線送信電力を減衰させる。
【００３１】
一方、Ｓ７０３の判断の結果、送信データがある場合、Ｓ７０５に進み、無線送信制御部１０９と第２の無線送信制御部３０２の双方に無線送信データがあるか否かを装置制御部１１３において確認する。この確認の結果、双方に無線送信データ存在する場合、Ｓ７０６において閾値１（第１の閾値）を設定する。また、双方に無線送信データ存在しない場合、Ｓ７０７において無線送信制御部１０９に無線送信データがあるか否かを判断する。
【００３２】
Ｓ７０７の判断の結果、無線送信制御部１０９に無線送信データがある場合、Ｓ７０８において閾値２（第２の閾値）を設定する。Ｓ７０７の判断の結果、無線送信データがない場合、第２の無線送信制御部３０２で無線送信が行われるため、Ｓ７０９において閾値３（第３の閾値）を設定する。Ｓ７０６、Ｓ７０８、またはＳ７０９の何れかにおいて閾値を設定したら、次に、Ｓ７１０に進む。
【００３３】
Ｓ７１０においては、音声レベル検出部２１３からのレベル値と、取得した閾値の値とを比較する。比較した結果、音声レベルの方が大きい場合、無線ノイズが音声信号に悪影響を与えないため、Ｓ７１１に進んで無線送信を開始する。また、音声レベルの方が小さい場合、無線ノイズが音声信号に悪影響を与えるため、Ｓ７０４に戻って無線送信電力の減衰を実行する。
【００３４】
以上説明したように、本実施形態においては、送信データの有無を判断し、送信データが有る場合には、その送信データが存在する無線送信制御部を判断して、無線通信を行う無線送信部に応じた閾値を設定する。そして、この設定した閾値に基いて無線送信部の動作を制御し、入力音声信号のレベルの方が大きい場合には無線送信を開始するようにした。その一方で、入力音声信号のレベルの方が小さい場合には無線送信電力を減衰させ、最低限の通信は確保するようにした。これにより、無線送信部を複数有する場合において、無線通信に使用する無線送信部に応じた無線通信を実現することができ、記録中の音声データ、或いは画像データにノイズが混入する不都合を回避することができる。
【００３５】
＜第３の実施形態＞
次に、図１、図３、図６、図８を用いて本発明の第３の実施形態を説明する。なお、本実施形態は第１、２の実施形態と共通する部分が多いため、共通の部分は説明を省略し、本実施形態に特有の部分を中心に説明する。
図８は、第３の実施形態の制御手順を説明するフローチャートである。本フローチャートは、撮像装置が動画記録の準備状態、つまり撮像部１０１及び音声入力部１０３からの画像及び音声の入力が開始されるが、まだ記録部１１２への記録が行われない状態へと移行した場合に開始される。
【００３６】
先ず、Ｓ８０１において無線送信制御部１０９の制御を開始する。
次に、Ｓ８０２において、送信データが画像／音声データバス１０７上に存在するか否かを確認する。次に、Ｓ８０３において、送信データの有無を判断する。この判断の結果、送信データがない場合はＳ８０２へ戻り、送信データ有無の監視を継続する。一方、Ｓ８０３の判断の結果、送信データが存在する場合にはＳ８０４に進み、図６の制御フローに則り閾値検出開始を行う。そして、Ｓ８０５において、閾値検出が終了したら、次に、Ｓ８０６に進む。
【００３７】
Ｓ８０６においては、音声レベル検出部２１３の検出レベルと取得した閾値との比較を行う。この比較の結果、取得した閾値の方が大きい場合にはＳ８０７において無線送信電力を減衰させ、その後、Ｓ８０２へ戻り、送信データ有無の監視を継続する。また、Ｓ８０６の比較の結果、音声レベルの方が大きい場合にはＳ８０８に進み、撮像装置の撮影状態が動画像データを記録中か否かを判断する。
【００３８】
次に、Ｓ８０９に進み、Ｓ８０８の判断の結果、動画像を記録部１１２へ記録していると判断した場合（動画像記録が行われている場合）は、無線送信は行わずにＳ８０２へ戻り、送信データ有無の監視を継続する。また、動画記録中でないと判断した場合、Ｓ８１０において、無線送信の制御状態を確認する。次に、Ｓ８１１において、無線送信中か否かを判断する。この判断の結果、無線送信中であった場合にはＳ８０２へ戻り、送信データ有無の監視を継続する。また、無線送信中でなかった場合にはＳ８１２に進んで無線送信を開始し、その後、Ｓ８０２へ戻り、送信データ有無の監視を継続する。
【００３９】
前述したように、本実施形態によれば、例え音声レベルが閾値より高い場合であっても、動画を記録中の場合には、Ｓ８１２における無線送信を開始しないこととした。このようにすることにより、記録される動画像データにノイズが混入する可能性を減少させることが可能となる。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態おいては、無線通信装置の送信制御を行うための閾値を、外部から入力される音声信号のレベルに応じて設定していたが、所定の閾値を基準ゲイン値として予め保持しておく。そして、音声レベル検出を行って検出された音声信号のレベル値と、予め設定されている基準ゲイン値とを比較し、その比較結果に基いて無線通信装置の送信制御を行うようにしてもよい。
【００４１】
（その他の実施形態）
なお、上述した各実施形態は本発明の一実施形態を示すものにすぎず、各実施形態を適宜組み合わせることも可能である。
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【図１】
2011130375.tif 000003
【図２】
2011130375.tif 000004
【図３】
2011130375.tif 000005
【図４】
2011130375.tif 000006
【図５】
2011130375.tif 000007
【図６】
2011130375.tif 000008
【図７】
2011130375.tif 000009
【図８】
2011130375.tif 000010